【手続補正書】
【提出日】平成15年7月15日(2003.7.15)
【手続補正１】
【補正対象書類名】明細書
【補正対象項目名】０１６４
【補正方法】変更
【補正の内容】
【０１６４】
【図１Ａ】図１Ａは、実施形態に従う、骨腫瘍を処置するための器具の、配置および展開を示す。
【図１Ｂ】図１Ｂは、実施形態に従う、骨腫瘍を処置するための器具を示す。
【図２】図２は、向きが変化し得る導入器を有する、骨腫瘍を処置するための器具の実施形態を示す。
【図３】図３は、向きが変化し得る導入器を有する、骨腫瘍を処置するための器具の実施形態を示す。
【図４】図４は、導入器の遠位末端に、向きが変化し得る部分を有する処置器具の、実施形態を示す。
【図５】図５は、蝶番的に取り付けられた、向きが変化し得る部分を有する導入器を有する、骨腫瘍処置器具の実施形態を示す。
【図６】図６Ａおよび図６Ｂは、図４および図５の実施形態に従う、向きが変化し得る導入器を有する、処置デバイスの使用法を示す。
【図７】図７Ａ〜図７Ｈは、処置デバイスの実施形態の多数の電極の構成を示す。
【図８】図８は、組織を貫くように構成された、針電極の実施形態を示す。
【図９】図９は、少なくとも１つの曲率半径を有する、針電極を示す。
【図１０】図１０は、実施形態に従う、流体の送達のための内腔および開口部を含む、処置デバイスの電極を示す。
【図１１】図１１は、代替的な実施形態に従う、流体送達のための開口部を有する電極を示す。
【図１２Ａ】図１２Ａは、実施形態に従う、多数の電極を有する処置デバイスの針を示す。
【図１２Ｂ】図１２Ｂは、代替的な実施形態に従う、２つの針ならびに電源およびアース電極と結合された電極を含む、処置デバイスを示す。
【図１３】図１３Ａは、電極の外部表面に位置する絶縁性スリーブを含む、骨処置デバイスを示す。図１３Ｂは、代替的な実施形態に従う、電極のセクションを周囲で絶縁する、複数の絶縁スリーブを含む、骨処置器具を示す。図１３Ｃは、電極上の焦げ付かないコーティングを使用する、他の代替的な実施形態の骨処置デバイスを示す。
【図１４】図１４は、実施形態に従う、隣接する長手軸方向のエネルギー送達表面を規定する、電極の長手軸方向のセクションに沿う絶縁体を含む、骨処置器具を示す。
【図１５】図１５は、輪状の電極を有する骨処置器具の実施形態を示す。
【図１６】図１６は、代替的な実施形態に従う、内側に渦巻状に巻かれた電極を有する、骨処置器具を示す。
【図１７】図１７は、他の代替的な実施形態に従う、螺旋状の電極を有する、骨処置デバイスを示す。
【図１８】図１８は、実施形態に従う、骨−腫瘍界面によってかかる力に応じて湾曲する、骨処置デバイスの電極を示す。
【図１９Ａ】図１９Ａは、流体送達器具を有する輪状の電極の実施形態を示す。
【図１９Ｂ】図１９Ｂは、代替的な実施形態に従う、流体送達器具を有する輪状の電極および覆うシースを示す。
【図１９Ｃ】図１９Ｃは、他の代替的な実施形態に従う、流体送達器具および流体ジェットを有する輪状の電極を示す。
【図１９Ｄ】図１９Ｃの部分拡大図である。
【図２０】図２０は、例えば、接近デバイスおよび挿入デバイスのような、整形外科のデバイスを用いる使用法に関する、骨処置デバイスの実施形態を示す。
【図２１】図２１は、実施形態に従う、導入器が骨接近デバイスである、骨処置デバイスを示す。
【図２２】図２２は、代替的な実施形態に従う、ねじ山を切った骨貫通導入器を有する、骨処置器具を示す。
【図２３】図２３Ａおよび図２３Ｂは、他の代替的な実施形態に従う、骨ドリルチップを有する導入器を含む、骨処置デバイスを示す。
【図２４】図２４Ａは、挿入可能なワイヤによってはめ込まれるように配置された導入器のドリルチップを含む、骨処置デバイスの実施形態を示す。図２４Ｂおよび図２４Ｃは、代替的な実施形態に従う、折りたたみ可能な遠位のセクションを有する導入器を含む、骨処置デバイスを示す。
【図２５】図２５は、実施形態に従う、無線周波数（ＲＦ）アンテナを有する骨処置器具を示す。
【図２６】図２６は、代替的な実施形態に従う、形成された突出した螺旋のＲＦアンテナを有する処置器具を示す。
【図２７】図２７は、他の代替的な実施形態の、曲線の／フック形をしたＲＦアンテナを示す。
【図２８】図２８は、向きを変える固定具を含む、なお他の代替的な実施形態の処置器具を示す。
【図２９】図２９Ａおよび図２９Ｂは、図２７または図２８の実施形態に従う、ＲＦ電極の展開を示す。
【図３０】図３０は、実施形態に従う、骨処置デバイスを用いる、コア生検針／エネルギー送達デバイスの使用法を示す。
【図３１】図３１は、骨処置デバイスの実施形態を用いる、センサーの使用法を示す。
【図３２】図３２は、Ｈａｖｅｒｓｉａｎ導管を通して、エネルギーおよび／または流体を送達するための、骨処置器具の実施形態の使用法を示す。
【図３３】図３３は、放射能セクションを含む実施形態の、エネルギー送達デバイスを示す。
【図３４】図３４は、実施形態の骨処置システムの、フィードバック制御システムのブロックダイアグラムを示す。
【図３５】図３５は、アナログ増幅器、アナログ多重器、およびマイクロプロセッサを含む、代替的な実施形態の、フィードバック制御システムのブロックダイアグラムを示す。
【図３６】図３６は、骨処置器具の方法および実施形態を含む、患者の処置の研究に関する腫瘍型および処置パラメーターを示す表を示す。
【手続補正２】
【補正対象書類名】図面
【補正対象項目名】全図
【補正方法】変更
【補正の内容】
【図１Ａ】
2004523272.tif 000001
【図１Ｂ】
2004523272.tif 000002
【図２】
2004523272.tif 000003
【図３】
2004523272.tif 000004
【図４】
2004523272.tif 000005
【図５】
2004523272.tif 000006
【図６】
2004523272.tif 000007
【図７】
2004523272.tif 000008
【図８】
2004523272.tif 000009
【図９】
2004523272.tif 000010
【図１０】
2004523272.tif 000011
【図１１】
2004523272.tif 000012
【図１２Ａ】
2004523272.tif 000013
【図１２Ｂ】
2004523272.tif 000014
【図１３】
2004523272.tif 000015
【図１４】
2004523272.tif 000016
【図１５】
2004523272.tif 000017
【図１６】
2004523272.tif 000018
【図１７】
2004523272.tif 000019
【図１８】
2004523272.tif 000020
【図１９Ａ】
2004523272.tif 000021
【図１９Ｂ】
2004523272.tif 000022
【図１９Ｃ】
2004523272.tif 000023
【図１９Ｄ】
2004523272.tif 000024
【図２０】
2004523272.tif 000025
【図２１】
2004523272.tif 000026
【図２２】
2004523272.tif 000027
【図２３】
2004523272.tif 000028
【図２４】
2004523272.tif 000029
【図２５】
2004523272.tif 000030
【図２６】
2004523272.tif 000031
【図２７】
2004523272.tif 000032
【図２８】
2004523272.tif 000033
【図２９】
2004523272.tif 000034
【図３０】
2004523272.tif 000035
【図３１】
2004523272.tif 000036
【図３２】
2004523272.tif 000037
【図３３】
2004523272.tif 000038
【図３４】
2004523272.tif 000039
【図３５】
2004523272.tif 000040
【図３６】
2004523272.tif 000041